(57)【特許請求の範囲】
【請求項１】
アンテナ切替ダイバーシチを行なうＰＤＣ移動機の受信装置において、
アンテナを切替えるアンテナ切替手段と、
基地局から受信した情報に基づいて、自局がパケットチャネルとして使用する使用スロットと、自局がパケットチャネルとして使用しない未使用スロットとを識別し、アンテナ切替ダイバーシチのタイミングとして、前記使用スロットの受信タイミングでは、スロットの同期ワード位置を選択し、前記使用スロットの１つ前の前記未使用スロットの受信タイミングでは、次に受信する前記使用スロットの前を選択し、その他の前記未使用スロットの受信タイミングでは、スロットの同期ワード位置または次に受信するスロットの前のいずれかを選択するタイミング選択制御手段と、
前記タイミング選択制御手段からの指示に基づいて、タイミングを計って、前記アンテナ切替手段のアンテナ切替え動作を起動するアンテナ切替タイミング発生手段と
を備えることを特徴とする受信装置。
【請求項２】
アンテナ切替ダイバーシチを行なうＰＤＣ移動機の受信装置において、
アンテナを切替えるアンテナ切替手段と、
アンテナ切替ダイバーシチのタイミングとして、受信スロットの構成に応じて、スロットの同期ワード位置または次に受信するスロットの前のいずれかを選択するタイミング選択制御手段と、
前記タイミング選択制御手段からの指示に基づいて、タイミングを計って、前記アンテナ切替手段のアンテナ切替え動作を起動するアンテナ切替タイミング発生手段と
を備え、
前記アンテナ切替タイミング発生手段は、同時送受信を行なう際に、前記タイミング選択制御手段からアンテナ切替ダイバーシチのタイミングとして、次に受信するスロットの前が指定されたとき、送信期間に送信がある場合には、アンテナ切替のタイミングが送信スロットの送信期間と重ならないように、前記アンテナ切替手段のアンテナ切替え動作を起動し、送信期間に送信がない場合には、アンテナ切替のタイミングが次に受信するスロットの直前となるように、前記アンテナ切替手段のアンテナ切替え動作を起動することを特徴とする受信装置。
【発明の詳細な説明】
【０００１】
【発明の属する技術分野】
本発明は、ＰＤＣ（personal digital cellular）システムの移動機に用いられる受信装置に関し、特に、ダイバーシチ機能の改善を図るものである。
【０００２】
【従来の技術】
ダイバーシチでは、フェージングに起因する受信レベルの変動に対処するため、複数のアンテナの中から受信波のレベルが最も高いアンテナを選択したり、複数のアンテナでの受信波を、各アンテナでの受信レベルに応じた重み付けをして合成することが行なわれる。ダイバーシチの方式には、受信波の選択を検波器より前で行ない、選択したアンテナからの受信波を一つの検波器で検波する検波前の選択方式と、複数のアンテナの受信波を複数の検波器で検波し、検波された受信信号の中から最適な受信信号を選択したり、各受信信号を合成したりする検波後選択方式とがある。検波後選択方式は、アンテナから検波器までの受信系列を複数必要とするため、受信装置が複雑になる不利があり、移動体通信の移動機にとっては、小型軽量化を図る上で、検波前選択方式の方が適している。
【０００３】
従来、検波前選択方式のダイバーシチを行なうＰＤＣシステムの移動機としては、特開平５−７５５０６号に記載されたものが知られている。この移動機の受信装置は、図１２に示すように、複数の受信アンテナ121、122と、受信アンテナを選択するアンテナ切替器123と、選択されたアンテナで受信された受信信号を復調する受信機127と、各アンテナで受信された受信波の受信レベルを検出する受信レベル検出器124と、アンテナを選択するためのアンテナ制御信号をアンテナ切替器123に出力するアンテナ制御器125とを備えている。
【０００４】
この受信装置は、ＴＤＭＡ方式を採るＰＤＣシステムの下で、自局のスロットを受信する直前に、アンテナ切替器123で受信アンテナを切り替えて、各受信アンテナ121、122における受信レベルを受信レベル検出器124で検出する。受信レベル検出器124の検出結果はアンテナ制御器125に伝えられ、アンテナ制御器125は、その検出結果に基づいて、受信レベルが最も高いアンテナを選択するアンテナ制御信号をアンテナ切替器123に出力する。アンテナ切替器123は、制御信号に従ってアンテナを選択し、この選択されたアンテナによって自局スロットが受信される。
【０００５】
この動作を自局スロットを受信するごとに繰り返す。
【０００６】
また、この受信装置では、スロット構成が、スロットの中間に制御信号またはフレーム同期信号が配置されている場合に、スロット受信前と前記制御信号またはフレーム同期信号の受信期間とに各アンテナ121、122の受信レベルを検出し、この検出結果を基に最も受信レベルの高いアンテナを選択する方法も行なわれている。即ち、受信レベル検出器124は、自局スロット受信中の受信レベルを監視し、受信レベルが予め定めた値以下に下がった場合には、それをアンテナ制御器125に伝える。これを受けてアンテナ制御器125は、アンテナを他方のアンテナに切り替えるようにアンテナ切替器123を指示し、それに従って、自局スロット受信の途中でアンテナの切り替えが行なわれる。
【０００７】
【発明が解決しようとする課題】
しかし、従来の移動機におけるダイバーシチ方式は、マルチスロット動作、つまり、複数のスロットを使用して連続的にスロットを受信する場合、次のような問題が生じる。
【０００８】
このときには、基本的に全スロットに対して受信動作が必要となるため、アンテナ切替のタイミングが無くなってしまう。そのため、従来のＰＤＣ移動機では、受信機構成が複雑になるにも拘わらず、検波後選択ダイバーシチを取り入れている。
【０００９】
本発明は、こうした従来の問題点を解決するものであり、マルチスロット動作においても検波前選択方式による効率的なダイバーシチが可能なＰＤＣ移動機の受信装置を提供することを目的としている。
【００１０】
【課題を解決するための手段】
そこで、本発明の受信装置では、アンテナを切替えるアンテナ切替手段と、アンテナ切替ダイバーシチのタイミングとして、受信スロットの構成に応じて、スロットの同期ワード位置または受信するスロットの前のいずれかを選択するタイミング選択制御手段と、タイミング選択制御手段からの指示に基づいて、タイミングを計って、アンテナ切替手段のアンテナ切替え動作を起動するアンテナ切替タイミング発生手段とを設けている。
【００１１】
この装置では、受信スロットの構成に応じて、ダイバーシチのタイミングを変更することにより、ダイバーシチ効果を高めることができる。
【００１２】
【発明の実施の形態】
本発明の請求項１に記載の発明は、アンテナ切替ダイバーシチを行なうＰＤＣ移動機の受信装置において、アンテナを切替えるアンテナ切替手段と、基地局から受信した情報に基づいて、自局がパケットチャネルとして使用する使用スロットと、自局がパケットチャネルとして使用しない未使用スロットとを識別し、アンテナ切替ダイバーシチのタイミングとして、使用スロットの受信タイミングでは、スロットの同期ワード位置を選択し、使用スロットの１つ前の未使用スロットの受信タイミングでは、次に受信する使用スロットの前を選択し、その他の未使用スロットの受信タイミングでは、スロットの同期ワード位置または次に受信するスロットの前のいずれかを選択するタイミング選択制御手段と、タイミング選択制御手段からの指示に基づいて、タイミングを計って、アンテナ切替手段のアンテナ切替え動作を起動するアンテナ切替タイミング発生手段とを設けたものであり、使用スロット数から定まる常に受信不要なスロットの受信タイミングでは、ダイバーシチタイミングを次の受信スロットの直前へ設定することによりダイバーシチ効果を高めることができる。
【００１５】
請求項２に記載の発明は、アンテナ切替ダイバーシチを行なうＰＤＣ移動機の受信装置において、アンテナを切替えるアンテナ切替手段と、アンテナ切替ダイバーシチのタイミングとして、受信スロットの構成に応じて、スロットの同期ワード位置または次に受信するスロットの前のいずれかを選択するタイミング選択制御手段と、タイミング選択制御手段からの指示に基づいて、タイミングを計って、アンテナ切替手段のアンテナ切替え動作を起動するアンテナ切替タイミング発生手段とを設け、アンテナ切替タイミング発生手段は、同時送受信を行なう際に、タイミング選択制御手段からアンテナ切替ダイバーシチのタイミングとして、次に受信するスロットの前が指定されたとき、送信期間に送信がある場合には、アンテナ切替のタイミングが送信スロットの送信期間と重ならないように、アンテナ切替手段のアンテナ切替え動作を起動し、また、送信期間に送信がない場合には、アンテナ切替のタイミングが次に受信するスロットの直前となるように、アンテナ切替手段のアンテナ切替え動作を起動するようにしたものであり、非送信時には効果的なダイバーシチを行なうことができ、また、送信時には、送信による感度抑圧の影響を受けずにダイバーシチ処理を行なうことができる。
【００１７】
以下、本発明の実施の形態について、図面を用いて説明する。なお、実施の形態は、マルチスロット動作の一つの例としてパケット通信移動機について説明する。
【００１８】
（第１の実施の形態）
第１の実施形態の受信装置は、図１に示すように、送受信共用のアンテナ（ＲＸ１／ＴＸ）31と、ダイバーシチ用受信専用アンテナ（ＲＸ２）32と、送受信ＲＦ信号の分離を行なうアンテナ共用器33と、アンテナ（ＲＸ１／ＴＸ）31またはアンテナ（ＲＸ２）32からの受信信号を選択するアンテナスイッチ34と、変調器、パワアンプ等で構成され、ベースバンド信号から送信ＲＦ信号を発生する送信回路35と、フィルタ、復調器等で構成され、アンテナスイッチ34で選択された受信信号をベースバンド信号へ変換する受信回路36と、ダイバーシチタイミングを選択するタイミング選択制御部37と、ロジック回路で構成され、アンテナスイッチ34に対してタイミング選択制御部37から指示されたタイミングでダイバーシチタイミング信号を発生するアンテナ切替タイミング発生部38とを備えている。
【００１９】
タイミング選択制御部37は、デスクランブラ、デインタリーバ、チャネルデコーダ等により構成され、下り復調データをチャネルデコードし復号するバースト分離部301と、復号データのレイヤ１構成情報（Ｗ）より受信スロットがアイドル（空き）スロットであるかどうかを判定するアイドルスロット判定部302と、復号データのレイヤ２ヘッダからそのスロットが自局宛か他局宛かを判定する自局／他局判定部303と、アイドルスロット判定部302及び自局／他局判定部303からの情報により、スロットが受信不要スロットであるかどうかを判定し、ダイバーシチタイミングを選択してアンテナ切替タイミング発生部38に伝える受信スロット管理部304とを具備している。
【００２０】
この受信装置では、アンテナスイッチ34で選択された受信信号が受信回路36でベースバンド信号に変換され、タイミング選択制御部37に入力する。
【００２１】
バースト分離部301は、ベースバンド信号を復号し、アイドルスロット判定部302は、復号データからアイドルスロットを見つけて受信スロット管理部304へ伝え、また、自局／他局判定部303は、復号データから自局スロットと他局スロットとを識別して受信スロット管理部304へ伝える。
【００２２】
受信スロット管理部304は、アイドルスロット判定部302及び自局／他局判定部303から齎される情報を基に、スロットの受信必要性を判定し、それを基にダイバーシチのタイミングを選択してアンテナ切替タイミング発生部38に伝える。アンテナ切替タイミング発生部38は、指定されたタイミングでダイバーシチタイミング信号を出力してアンテナスイッチ34を起動し、アンテナ切替をアンテナスイッチ34に行なわせる。
【００２３】
アンテナ切替タイミング発生部38は、図２に示すように、ｓｌｏｔ（ｎ）を受信する場合に、タイミング選択制御部37の制御に従って、次のＡまたはＢのタイミングでダイバーシチタイミング信号を発生する。
【００２４】
Ａ：ｓｌｏｔ（ｎ−１）の同期ワード位置
Ｂ：ｓｌｏｔ（ｎ）の直前の位置
この場合、ダイバーシチのタイミングをＡにすると、スロット（ｎ−１）のデータを壊すことなくダイバーシチを行なうことができる。一方、ダイバーシチのタイミングをＢにすると、スロット（ｎ−１）のＢ位置のデータがアンテナの切替時の雑音で破壊される可能性がある。しかし、スロットｎに関するダイバーシチ利得を考慮すると、Ａタイミングよりも、受信スロットｎの直前のＢタイミングでダイバーシチを行なう方が望ましい。
【００２５】
そこで、タイミング選択制御部37の受信スロット管理部304は、原則として、スロット（ｎ−１）が受信不要の場合には、Ｂのタイミングでダイバーシチを行なうようにアンテナ切替タイミング発生部38を制御し、スロット（ｎ−１）の受信が必要な場合あるいはスロット（ｎ−１）が受信不要かどうか明確でない場合には、Ａのタイミングでダイバーシチを行なうようにアンテナ切替タイミング発生部38を制御する。そして、受信スロット管理部304は、スロットが受信不要なものであるかどうかをアイドルスロット判定部302及び自局／他局判定部303からの情報を基に、判断する。
【００２６】
ただし、フレーム同期を保持するために、強制的にＡのタイミングでのダイバーシチを行なわないように制御したり、あるいは、Ａ、Ｂいずれのタイミングでもダイバーシチを行なわないように制御することが必要になる場合もある。
【００２７】
このように、ダイバーシチタイミングをＡに固定せずに、Ａのタイミングに加えてＢのタイミングを発生させることにより、利得の大きいダイバーシチ効果を実現することができる。
【００２８】
受信スロット管理部304は、アイドルスロット判定部302及び自局／他局判定部303の情報から、スロットの受信必要性を、例えば次のように判断し、ダイバーシチタイミングを制御する。
【００２９】
まず、受信信号にアイドルスロットが含まれている場合について、図３を用いて説明する。
【００３０】
受信回路36からタイミング選択制御部37に入力した受信スロットデータは、バースト分離部301で復号され、次いで、アイドルスロット判定部302でアイドルスロットかどうかが判定される。いま、ｓｌｏｔ１がアイドルスロットであるとする。以下の説明は、ｓｌｏｔ１にだけ着目して行なう。
【００３１】
受信パタン▲１▼の場合では、アイドルスロット判定部302は、ｓｌｏｔ１のデータａのレイヤ１構成情報（Ｗ）から、これがアイドルスロットであることを識別すると、レイヤ１構成情報（Ｗ）に埋め込まれている継続アイドルスロット数（今後継続するアイドルスロットの残数）を抜き出し、受信スロット管理部304へ通知する。
【００３２】
受信スロット管理部304は、この継続アイドルスロット数により次サブフレームのｓｌｏｔ１が受信不要かどうかを判定する。即ち、継続が０でなく１以上であれば、次サブフレームのｓｌｏｔ１は受信不要と判断する。そして、次サブフレームのｓｌｏｔ１（データｂ）におけるダイバーシチタイミングをＢタイミングとするようにアンテナ切替タイミング発生部38へ指示する。
【００３３】
また、同様に、アイドルスロット判定部302がデータｂから抜き出した継続アイドルスロット数“１”を受信スロット管理部304へ通知すると、受信スロット管理部304は、継続アイドルスロット数が０でないため、次サブフレームのｓｌｏｔ１を受信不要と判断し、次サブフレームのｓｌｏｔ１（データｃ）におけるダイバーシチタイミングをＢタイミングとするようにアンテナ切替タイミング発生部38へ指示する。
【００３４】
次に、アイドルスロット判定部302がデータｃから抜き出した継続アイドルスロット数“０”を受信スロット管理部304へ通知すると、受信スロット管理部304は、次サブフレームのｓｌｏｔ１（データｄ）におけるダイバーシチタイミングをＡタイミングとするようにアンテナ切替タイミング発生部38へ指示する。これは、次サブフレームのデータｄが受信不要なデータであるかどうかは受信して見なければ分からず、とにかく受信する必要があるためである。
【００３５】
また、受信パタン▲２▼のように、ダイバーシチタイミングをＡタイミングに設定して受信を開始した場合でも、そのときのスロットが継続アイドルスロット数“０”のアイドルスロット１（データｃ）であるときは、次サブフレームのｓｌｏｔ１（データｄ）のダイバーシチタイミングをＡタイミングに指定する。
【００３６】
このように、ダイバーシチタイミングは、それぞれのスロットごとに判断する必要がある。
【００３７】
次に、受信信号に自局宛スロット及び他局宛スロットが含まれる場合について説明する。
【００３８】
自局／他局判定部303は、バースト分離部301で復号されたスロットデータのレイヤ２ヘッダから、そのスロットが自局宛であるか、他局宛であるかを判定し、自局宛／他局宛の別と、そのデータから抜き出した継続スロット数とを受信スロット管理部304へ通知する。
【００３９】
受信スロット管理部304は、そのスロットが他局宛スロットの場合には、アイドルスロットのときと全く同じように、継続スロット数が０でなければ、次サブフレームのスロットを受信不要と判断し、次サブフレームの同一位置のスロットにおけるダイバーシチタイミングをＢタイミングとするようにアンテナ切替タイミング発生部38へ指示する。また、継続スロット数が０のときは、次サブフレームのスロットの受信が必要と判断し、次サブフレームのそのスロットにおけるダイバーシチタイミングをＡタイミングとするようにアンテナ切替タイミング発生部38へ指示する。
【００４０】
一方、受信スロット管理部304は、そのスロットが自局宛スロットの場合には、継続スロット数が１以上であっても０であっても、次サブフレームのスロットの受信が必要と判断し、次サブフレームの同一位置のスロットにおけるダイバーシチタイミングをＡタイミングとするようにアンテナ切替タイミング発生部38へ指示する。
【００４１】
受信スロット管理部304が、現在の受信スロットの内容と継続スロット数とに応じて、次サブフレームの同一スロットにおける受信の必要性をどのように判断するかを表１に纏めて示している。
【表１】
0003645052.tif 000002
【００４２】
このように、この受信装置では、タイミング選択制御部37の受信スロット管理部304が、それぞれのスロットの次サブフレームが受信不要であるかどうかを判断し、受信不要である場合に、そのダイバーシチタイミングをＢタイミング（ｓｌｏｔ（ｎ）の直前の位置）に設定することにより、ダイバーシチ効果を高めている。
【００４３】
（第２の実施の形態）
第２の実施形態の受信装置は、パケットチャネルのスロット使用数により、次スロット受信のためのダイバーシチタイミングを指示することができる。
【００４４】
この受信装置は、図４に示すように、タイミング選択制御部57に、ＲＴ（無線管理）制御を行なう無線管理部505を具備している。この無線管理部505は、基地局から通知されるパケットチャネルのスロット使用数を受信スロット管理部504へ通知する。その他の構成は、第１の実施形態（図１）と変わりがない。
【００４５】
この受信装置の受信スロット管理部504は、無線管理部505、アイドルスロット判定部502及び自局／他局判定部503からの情報により、次スロットが受信不要かどうかを判定して、次スロットのダイバーシチタイミングを選択し、アンテナ切替タイミング発生部58に指示を出す。
【００４６】
例えば、図５のパタン▲１▼に示すように、ｓｌｏｔ０とｓｌｏｔ１との２スロットがパケットチャネルとして使用されている場合には、受信スロット管理部504は、基地局の下り信号で通知されるその構造を無線管理部505を通じて知ることによりｓｌｏｔ２が固定的に受信不要であることを識別する。
【００４７】
このとき、受信スロット管理部504は、ｓｌｏｔ２の受信タイミングで、ダイバーシチタイミングとして常にＢ（ｓｌｏｔ（ｎ）の直前の位置）タイミングを取るようにアンテナ切替タイミング発生部58に対して指示を出す。
【００４８】
また、パタン▲２▼のように、パケットチャネルとして使用されるスロット数が１の場合には、ｓｌｏｔ１、ｓｌｏｔ２が常に受信不要となる。このときには、受信スロット管理部504は、ｓｌｏｔ１の受信タイミングでは、ダイバーシチタイミングとしてＡ、Ｂいずれのタイミングをも許容し（不定）、ｓｌｏｔ２の受信タイミングでは、ダイバーシチタイミングとしてＢタイミングを取るように、アンテナ切替タイミング発生部58に対して指示を出す。このパタン▲２▼では、これまでの音声移動機のような動作となる。
【００４９】
なお、パケットチャネルのスロットと非パケットチャネルのスロットとの組み合わせは、このパタン▲１▼、▲２▼だけに限らず、その他の組み合わせについても同様に実施可能である。
【００５０】
このように、この実施形態の受信装置では、タイミング選択制御部57に設けた無線管理部505からの情報によって、パケットチャネルに使用されないスロットが分かる。この未使用スロットは常に受信不要となるから、次スロット受信のためのダイバーシチタイミングを、常に次スロットの受信直前に設定することができ、それによって、安定した高いダイバーシチ効果を実現することができる。
【００５１】
（第３の実施の形態）
第３の実施形態の受信装置は、同時送受信を行なう際に、ダイバーシチタイミングを送信信号の送出期間と重ならないように設定する。
【００５２】
この受信装置では、同時送受信を行なう場合に、図１に示す構成のタイミング選択制御部37からアンテナ切替タイミング発生部38に対して、その旨が伝えられる。
【００５３】
ＰＤＣシステムでは、同時送受信の場合に、受信スロットの受信期間と送信スロットの送信期間とは、図６に示す関係にある。
【００５４】
このとき、アンテナ切替タイミング発生部38は、タイミング選択制御部37から同期ワード位置でのダイバーシチが指示された場合には、図６に示すように、Ａにおけるダイバーシチタイミングを設定し、また、次スロットの直前でのダイバーシチが指示された場合には、Ｂ１に示す、次スロットの直前ではあるが、送信タイミングに掛からない（送信スロットの送信期間に重ならない）時点でのダイバーシチタイミングを設定する。
【００５５】
このように、送信期間を外してダイバーシチタイミングを設定することにより、送信による受信系への感度抑圧の影響を受けずにダイバーシチ処理を行なうことができ、効果的なダイバーシチの実行が可能となる。
【００５６】
（第４の実施の形態）
第４の実施形態の受信装置は、同時送受信の場合であっても、送信期間に実際に送信が行なわれるときだけ、ダイバーシチタイミングを送信期間から外すように設定する。
【００５７】
この受信装置は、図７に示すように、タイミング選択制御部87に、送信データを発生する送信制御部806と、チャネルコーダ、スロット構成部等で構成され、送信データをスロットフォーマットに変換するバースト多重部805とを具備している。送信制御部806は、発生した送信データをバースト多重部805に出力するときに、送信が行なわれることを知らせる通知信号をアンテナ切替タイミング発生部88に出力する。その他の構成は第１の実施形態（図１）と変わりがない。
【００５８】
この受信装置の動作を図８及び図９を用いて説明する。
【００５９】
この受信装置は、図８に示す受信スロットをアンテナスイッチ34が選択したアンテナ81または82で受信する。受信信号は受信回路86でベースバンド信号に変換され、タイミング選択制御部87のバースト分離部801で復号される。アイドルスロット判定部802は、復号データからアイドルスロットを見つけて受信スロット管理部804へ伝え、また、自局／他局判定部803は、復号データから自局スロットと他局スロットとを識別して受信スロット管理部804へ伝える。
【００６０】
受信スロット管理部804は、アイドルスロット判定部802及び自局／他局判定部803からの情報を基に、受信スロットの受信の必要性を判断し、現スロットが受信不要な場合にハイ（Ｈ）レベルとなり、現スロットが受信必要な場合にロウ（Ｌ）レベルとなるアンテナ切替選択信号▲２▼をアンテナ切替タイミング発生部88に出力する。
【００６１】
また、同時送受信を行なう場合に、送信制御部806は送信データを発生する。この送信データは、バースト多重部805でスロットフォーマットに変換され、送信回路85で送信ＲＦ信号に変調され、アンテナ共用器83を経て、アンテナ81から送信される。この送信スロットの送信タイミングを図８では、網掛けで示している。
【００６２】
送信制御部806は、送信データの出力に合わせて、アンテナ切替タイミング発生部88に対し、送信を知らせる送信スロット通知信号▲１▼を出力する。この送信スロット通知信号▲１▼は、次の送信スロットのタイミングで送信を行なうときはハイ（Ｈ）レベルとなり、次の送信スロットのタイミングで送信を行なわないときはロウ（Ｌ）レベルとなることによって送信の有無を伝える。
【００６３】
このとき、アンテナ切替タイミング発生部88は、図９に示すように、ダイバーシチタイミングを設定する。即ち、
受信スロット（ｎ−１）が受信必要なスロットであるときは、
Ａ：ｓｌｏｔ（ｎ−１）の同期ワード位置
受信スロット（ｎ−１）が受信不要なスロットであり、次の送信スロットのタイミングで送信が行なわれるときは、
Ｂ１：ｓｌｏｔ（ｎ）の直前であるが、送信タイミングに掛からないようにさらに早いタイミング
受信スロット（ｎ−１）が受信不要なスロットであり、次の送信スロットのタイミングで送信が行なわれないときは、
Ｂ２：送信スロットの送信期間に重なってしまうがｓｌｏｔ（ｎ）の直前であるタイミング
をそれぞれダイバーシチタイミングとして設定する。
【００６４】
図８の場合では、受信スロットａについては、送信制御部806から、次スロットタイミングで送信スロットがあることを示すＨの送信スロット通知信号▲１▼が出力され、受信スロット管理部804から、現スロットが受信不要であることを示すＨのアンテナ切替選択信号▲２▼が出力されているので、アンテナ切替タイミング発生部88は、現スロットのダイバーシチタイミングとして、Ｂ１のタイミングを設定するアンテナ切替信号▲３▼を発生する。
【００６５】
また、受信スロットｂ及びｃについては、送信制御部806から、次スロットタイミングで送信スロットなしを示すＬの送信スロット通知信号▲１▼が出力され、受信スロット管理部804から、現スロットが受信不要であることを示すＨのアンテナ切替選択信号▲２▼が出力されているので、アンテナ切替タイミング発生部88は、現スロットのダイバーシチタイミングとして、Ｂ２のタイミングを設定するアンテナ切替信号▲３▼を発生する。
【００６６】
また、受信スロットｄについては、送信制御部806から、次スロットタイミングで送信スロットありを示すＨの送信スロット通知信号▲１▼が出力され、受信スロット管理部804から、現スロットが受信必要であることを示すＬのアンテナ切替選択信号▲２▼が出力されているので、アンテナ切替タイミング発生部88は、現スロットのダイバーシチタイミングとして、Ａのタイミングを設定するアンテナ切替信号▲３▼を発生する。
【００６７】
また、受信スロットｅについては、送信制御部806から、前スロットに引き続いて次スロットタイミングでも送信スロットありを示すＨの送信スロット通知信号▲１▼が出力され、受信スロット管理部804からは、現スロットが受信不要であることを示すＨのアンテナ切替選択信号▲２▼が出力されている。この場合、現スロットが受信不要であるから、ダイバーシチタイミングとしてＢ１またはＢ２を選択するが、Ｂ１、Ｂ２のいずれを選択しても送信中のダイバーシチ動作となる。このときには、アンテナ切替タイミング発生部88は、次スロット直前のＢ２のタイミングでアンテナ切替を行なわせるアンテナ切替信号▲３▼を発生する。
【００６８】
また、受信スロットｆについては受信スロットｂと同じ動作であり、受信スロットｇ、ｈについては、それぞれ受信スロットａ、ｂと同じ動作となる。
【００６９】
以上の動作を纏めると、表２のようになる。アンテナ切替ダイバーシチ発生部88は、表２の論理でアンテナ切替タイミングを発生する。
【表２】
0003645052.tif 000003
【００７０】
このように、実際に送信する送信スロットに対してだけ、受信系のアンテナ切替タイミングが重ならないように設定することにより、送信による受信系への感度抑圧の影響を排除することができ、ダイバーシチ効果を保持することができる。
【００７１】
このように、この実施形態の受信装置では、現スロットが受信不要である場合のアンテナ切替タイミングとして、送信が無い場合には次スロット受信の直前を、また、送信がある場合には送信に掛からないように、ダイナミックにダイバーシチタイミングを選択する。それにより、非送信時には効果的なダイバーシチを行なうことができ、また、送信時には、送信による感度抑圧の影響を回避したダイバーシチ処理が可能となる。
【００７２】
（第５の実施の形態）
第５の実施形態の受信装置は、音声通信モードの場合に、それに応じたダイバーシチタイミングを設定する。
【００７３】
この受信装置では、図１０に示すように、タイミング選択制御部107からアンテナ切替タイミング発生部108へ動作モードが通知される。
【００７４】
アンテナ切替タイミング発生部108は、タイミング選択制御部107から音声通信の動作モードが通知された場合に、図１１に示すように、アンテナ切替タイミングを受信スロットの直前に固定する。
【００７５】
これは、音声移動機では、通話中／待ち受け中によらず、１サブフレーム中で１スロットだけを固定的に使用して、送受信が行なわれるためである。図１１では、送受信に使用するスロットを網掛けで示している。
【００７６】
このように、この実施形態の受信装置では、パケット通信でない音声通信モードを選択した場合に、それに応じた固定的なダイバーシチタイミングへの切り換えが行なわれる。
【００７７】
【発明の効果】
以上の説明から明らかなように、本発明の受信装置は、ＰＤＣ移動機におけるダイバーシチ効果を高めることができる。パケットチャネルでスロットを連続的に受信する場合でも、適切なダイバーシチタイミングを設定することができ、また、受信に並行して送信スロットを送信する場合でも、送信による感度抑圧の影響を避けてダイバーシチ処理を行なうことができ、効果的なダイバーシチを実現することができる。
【図面の簡単な説明】
【図１】本発明の第１の実施形態における受信装置の構成を示すブロック図、
【図２】第１の実施形態の受信装置における動作説明用のダイバーシチタイミング図、
【図３】第１の実施形態の受信装置におけるダイバーシチタイミングを示す図、
【図４】本発明の第２の実施形態における受信装置の構成を示すブロック図、
【図５】第２の実施形態の受信装置におけるダイバーシチタイミングを示す図、
【図６】本発明の第３の実施形態における受信装置でのダイバーシチタイミングを示す図、
【図７】本発明の第４の実施形態における受信装置の構成を示すブロック図、
【図８】第４の実施形態の受信装置におけるダイバーシチタイミングを示す図、
【図９】第４の実施形態の受信装置における動作説明用のダイバーシチタイミング図、
【図１０】本発明の第５の実施形態における受信装置の構成を示すブロック図、
【図１１】第５の実施形態の受信装置におけるダイバーシチタイミングを示す図、
【図１２】従来の受信装置におけるダイバーシチ構成を示すブロック図である。
【符号の説明】
31、51、81、101  送受信共用アンテナ
32、52、82、102  ダイバーシチ用受信専用アンテナ
33、53、83、103  アンテナ共用器
34、54、84、104  アンテナスイッチ
35、55、85、105  送信回路
36、56、86、106  受信回路
37、57、87、107  タイミング選択制御部
38、58、88、108  アンテナ切替タイミング発生部
301、501、801  バースト分離部
302、502、802  アイドルスロット判定部
303、503、803  自局／他局判定部
304、504、804  受信スロット管理部
505  無線管理部
805  バースト多重部
806  送信制御部
121、122  受信アンテナ
123  アンテナ切替器
124  受信レベル検出器
125  アンテナ制御器
126  アンテナ制御信号
127  受信機
【図１】
0003645052.tif 000004
【図２】
0003645052.tif 000005
【図３】
0003645052.tif 000006
【図４】
0003645052.tif 000007
【図５】
0003645052.tif 000008
【図６】
0003645052.tif 000009
【図７】
0003645052.tif 000010
【図８】
0003645052.tif 000011
【図９】
0003645052.tif 000012
【図１０】
0003645052.tif 000013
【図１１】
0003645052.tif 000014
【図１２】
0003645052.tif 000015